(57)【要約】【課題】  簡易な構成で操作が容易な網材を有し、非使用時には網材が露出しないサッシを提供する。【解決手段】  サッシ枠と、引戸障子と、網材と、戸先側取付材と、戸当側取付材とを備え、引戸障子は、サッシ枠に納めてあって開口幅が制限されており、戸先側取付材は、引戸障子の戸先側竪框の見付面に取り付けてあり、戸当側取付材は、引戸障子の戸先側竪框に対向する戸当部に隣接する位置に取り付けてあり、網材は、引戸障子の摺動方向に折り畳み自在かつ撓み防止ワイヤーレスのものであって、戸先側取付材と戸当側取付材の間に着脱自在に取り付けてある。【選択図】      図１
2014214465.tif 000002
【特許請求の範囲】
【請求項１】
サッシ枠と、引戸障子と、網材と、戸先側取付材と、戸当側取付材とを備え、引戸障子は、サッシ枠に納めてあって開口幅が制限されており、戸先側取付材は、引戸障子の戸先側竪框の見付面に取り付けてあり、戸当側取付材は、引戸障子の戸先側竪框に対向する戸当部に隣接する位置に取り付けてあり、網材は、引戸障子の摺動方向に折り畳み自在かつ撓み防止ワイヤーレスのものであって、戸先側取付材と戸当側取付材の間に着脱自在に取り付けてあることを特徴とするサッシ。
【発明の詳細な説明】
【技術分野】
【０００１】
本発明は、開口部を塞ぐ網材を備えるサッシに関する。
【背景技術】
【０００２】
従来、窓などの開口部から虫が侵入することを防ぐための網戸があるが、網戸は非使用時（障子閉鎖時）においても常に露出した状態であるため、眺望の妨げになることが問題であった。そこで、特許文献１に示すように、非使用時に網部が収納されるスクリーン装置が提案されている。この装置においては、網部を付勢巻き取り可能な収納ケースが枠体に摺動自在に取り付けてある。使用時には、まず障子を開き、続いて収納ケースを障子の竪框の位置まで摺動させる。網部の先端は竪枠に係止させてあるので、収納ケースの摺動に伴って網部が引き出され、開口部を塞ぐ。そして収納ケースは障子の竪框に固定する。また、障子を閉める際には、収納ケースを障子の竪框から取り外すと、網部を巻き取りながら竪枠側へ摺動するので、その後障子を閉めればよい。このようなスクリーン装置によれば、非使用時には網部が収納ケース内に収納されて露出しない状態となるため、眺望が妨げられない。
【先行技術文献】
【特許文献】
【０００３】
【特許文献１】特許第３３９１７１２号公報
【発明の概要】
【発明が解決しようとする課題】
【０００４】
しかしながら、特許文献１の発明では、障子と網部を別々に開閉しなければならず、操作が面倒であった。また、網部には常に収納ケースに巻き取られる方向に付勢力が働いているので、この付勢力により、開いた障子が閉鎖方向に動くおそれがあった。そして、この巻き取りのための機構が故障するおそれもあった。さらに、網部を取り替える際には収納ケースを分解しなければならず、メンテナンス性がよくなかった。
【０００５】
本発明は、上記事情を鑑みたものであり、簡易な構成で操作が容易な網材を有し、非使用時には網材が露出しないサッシを提供することを目的とする。
【課題を解決するための手段】
【０００６】
本発明は、サッシ枠と、引戸障子と、網材と、戸先側取付材と、戸当側取付材とを備え、引戸障子は、サッシ枠に納めてあって開口幅が制限されており、戸先側取付材は、引戸障子の戸先側竪框の見付面に取り付けてあり、戸当側取付材は、引戸障子の戸先側竪框に対向する戸当部に隣接する位置に取り付けてあり、網材は、引戸障子の摺動方向に折り畳み自在かつ撓み防止ワイヤーレスのものであって、戸先側取付材と戸当側取付材の間に着脱自在に取り付けてあることを特徴とする。
【発明の効果】
【０００７】
本発明によれば、障子の戸先側竪框に取り付けた戸先側取付材と、戸先側竪框に対向する戸当部に隣接して取り付けた戸当側取付材の間に網材を取り付けてあるので、障子を開けると網材も連動して広がり、障子を閉めると網材も連動して折り畳まれるため、操作が容易である。また、一般に折り畳み式の網材には、網材を伸張する際の撓みを防止するワイヤーが取り付けられているが、本発明においては、障子の開口幅が制限されており、網材の幅も短いので、伸張及び折り畳みの際に網材が撓むことはなく、ワイヤーが不要となっており、またこのワイヤーを巻き取る装置も不要となっている。よって、網材には何らの付勢力も働いていないので、開いた障子が閉鎖方向に動くことはなく、開口幅の制限の範囲内の任意の位置で停止できる。そして、巻き取りのための機構などがない簡易な構成であるから、全体がコンパクトで、費用が抑えられ、故障のおそれもない。さらに、網材は戸先側取付材と戸当側取付材に対して着脱自在であるから、取り替えが容易でメンテナンス性がよい。また、既存のサッシへの後付けも容易であり、枠の取り替えなども必要ないので、費用が抑えられる。
【図面の簡単な説明】
【０００８】
【図１】外障子の室内側に網材を取り付けた場合の平面図であり、（ａ）は障子閉鎖状態、（ｂ）は網材使用時の障子開放状態である。
【図２】外障子の室内側に網材を取り付けた場合の平面図であり、網材非使用時の障子開放状態である。
【図３】外障子の室内側に網材を取り付けた場合の全体平面図であり、（ａ）は障子閉鎖状態、（ｂ）は網材使用時の障子開放状態、（ｃ）は網材非使用時の障子開放状態である。
【図４】外障子の室内側に網材を取り付けた場合の縦断面図であり、（ａ）は戸先側取付材及び戸当側取付材部分、（ｂ）は網材部分である。
【図５】外障子の室内側に網材を取り付けた場合の室内側正面図である。
【図６】ロック部品の説明図である。
【図７】内障子の室内側に網材を取り付けた場合の平面図であり、（ａ）は障子閉鎖状態、（ｂ）は網材使用時の障子開放状態である。
【図８】内障子の室内側に網材を取り付けた場合の平面図であり、網材非使用時の障子開放状態である。
【図９】内障子の室内側に網材を取り付けた場合の全体平面図であり、（ａ）は障子閉鎖状態、（ｂ）は網材使用時の障子開放状態、（ｃ）は網材非使用時の障子開放状態である。
【図１０】内障子の室内側に網材を取り付けた場合の縦断面図であり、（ａ）は戸先側取付材及び戸当側取付材部分、（ｂ）は網材部分である。
【図１１】内障子の室外側に網材を取り付けた場合の平面図であり、（ａ）は障子閉鎖状態、（ｂ）は網材使用時の障子開放状態である。
【図１２】内障子の室外側に網材を取り付けた場合の平面図であり、網材非使用時の障子開放状態である。
【図１３】内障子の室外側に網材を取り付けた場合の全体平面図であり、（ａ）は障子閉鎖状態、（ｂ）は網材使用時の障子開放状態、（ｃ）は網材非使用時の障子開放状態である。
【図１４】内障子の室外側に網材を取り付けた場合の縦断面図であり、（ａ）は戸先側取付材及び戸当側取付材部分、（ｂ）は網材部分である。
【図１５】外障子の室内側と内障子の室内側の両方に網材を取り付けた場合の室内側正面図である。
【発明を実施するための形態】
【０００９】
以下、本発明の実施の形態を図面に基づいて説明する。なお、以下において左右とは、サッシを室内側から見た場合の左右方向を示すものとする。このサッシの第一実施形態は、図５に示すように、サッシ枠１に２枚の引戸障子（外障子２ａと内障子２ｂ）を左右に引き違いに納めた引違窓である。サッシ枠１の室内側には、額縁８を設けてある。外障子２ａと内障子２ｂは、何れも戸先側竪框２１ａ，２１ｂ、戸尻側竪框２２ａ，２２ｂ、上框２３ａ，２３ｂ及び下框２４ａ，２４ｂを四周框組みして内周側にガラスパネル２５ａ，２５ｂを嵌め込んだものである。なお、図３に示すように、ガラスパネル２５ａ，２５ｂは複層ガラスで見込幅が厚いので、各框の内周側のパネル保持部分が、外障子２ａでは室外側に、内障子２ｂでは室内側に持ち出している。そして、戸先側竪框２１ａ，２１ｂの室外側面及び室内側面には、上下に延びる断面略コ字形の溝を形成してあり、外障子２ａ及び内障子２ｂの開閉の際に手を掛けるための手掛部２１１となっている。また、外障子２ａの下框２４ａの室内側面には、ストッパー６が取り付けてある。ストッパー６は、内蔵されたバネの付勢力によって室内側に突出した状態となっており、外障子２ａ又は内障子２ｂを開いていくと、内障子２ｂの戸尻側竪框２２ｂがストッパー６に当接して、それ以上外障子２ａ又は内障子２ｂを開くことができないようにするものである。なお、ストッパー６は、下框２４ａの戸尻側寄りに設けられており、外障子２ａ及び内障子２ｂの開口幅を狭い範囲で制限している。また、バネの付勢力に抗してストッパー６を押し込めば、制限は解除されて外障子２ａ及び内障子２ｂを大きく開くことができる。そして、本実施形態においては、外障子２ａの室内側に網材３を設けてあり、以下に詳述する。
【００１０】
まず、図１〜図４に示すように、外障子２ａの戸先側竪框２１ａの室内側面に、戸先側取付材４を取り付けてある。戸先側取付材４は、戸先側竪框２１ａと略同じ上下長さを有するものであり、断面が室内外方向に長い矩形で中空の本体部４１と、本体部４１の左側面の室外側端から室外側に向けて突出する中空の嵌合部４２からなり、全体として断面略Ｌ字形である。本体部４１は、室外側面が戸先側竪框２１ａの室内側面に当接していて、室内側に向けて突出しており、嵌合部４２は、戸先側竪框２１ａの室内側の手掛部２１１に嵌合していて、手掛部２１１の底面にネジ止めしてある。そして、本体部４１の左側面の室内側寄りの位置には、左側に向けて突出する突出片４３を形成してあり、本体部４１の左側面の、嵌合部４２の室内側面と突出片４３の間部分が、網材３の取付面４４となっている。なお、本体部４１の室内側端は、突出片４３よりも室内側に延出しており、この延出部分は、戸先側取付材４の嵌合部４２によって塞がれた戸先側竪框２１ａの手掛部２１１の代わりとして機能する。
【００１１】
また、戸当側の、戸先側取付材４に対向する位置には、戸当側取付材５を取り付けてある。戸先側取付材４が外障子２ａの戸先側竪框２１ａの室内側面に取り付けてあるので、戸当側取付材５の取り付け位置は、戸先側竪框２１ａに対向するサッシ枠１の竪枠１１の戸当部９ａの、室内側に隣接する位置、すなわち竪枠１１の、内障子２ｂの戸尻側竪框２２ｂに対向する位置となる。戸当側取付材５は、後述のロック部品７により着脱自在に取り付けられるものとなっており、ここでは取り付けた状態を前提として説明する。戸当側取付材５は、戸先側取付材４と略同じ上下長さを有するものであり、断面略Ｈ字形で、２つの略コ字形の開口部がそれぞれ左右方向を向いている。右側の開口部の底面は網材３の取付面５１となっており、戸先側取付材４の取付面４４と、戸当側取付材５の取付面５１とが対向している。また、左側の開口部内には、ロック部品７が納められている。なお、開口部の側面の間隔は、戸先側取付材４の嵌合部４２の室内側面と突出片４３の間隔よりわずかに狭くなっており、図１（ａ）に示すように、外障子２ａを閉じた際には、戸当側取付材５の右側部分が戸先側取付材４の嵌合部４２の室内側面と突出片４３の間に納まる。これにより、戸先側取付材４の取付面４４と戸当側取付材５の取付面５１に挟まれた閉じた空間が形成され、この空間が網材３を納める収納部５２となる。ここで、嵌合部４２の室内側面と、突出片４３の室外側面には、樹脂製の滑り止め部材４５を取り付けてあり、嵌合部４２と突出片４３の間に納めた戸当側取付材５が外れにくいようになっている。
【００１２】
さらに、網材３は、図１に示すように上面視してジグザグ状で、左右方向に折り畳み自在となっている。網材３の右側端は、戸先側取付材４の取付面４４に面ファスナー３１によって着脱自在に取り付けてあり、網材３の左側端は、戸当側取付材５の取付面５１に面ファスナー３１によって着脱自在に取り付けてある。網材３は、この左右端の面ファスナー３１のみによって固定されており、従来の折り畳み式の網材のように撓み防止のためのワイヤーなどは有していない。そして、図４（ｂ）に示すように、網材３の上端部は、サッシ枠１の上枠１２に形成した内障子２ｂのガイド溝１２１ｂに納まっている。一方、網材３の下端部には、略三角形の切欠部３２を形成してあり、切欠部３２を、サッシ枠１の下枠１３に形成した内障子２ｂのガイドレール１３１ｂが挿通している。
【００１３】
また、ロック部品７は、図１及び図６に示すように、前述のとおり戸当側取付材５の左側の開口部内に納められており、上下動自在な軸部７１を有している。軸部７１の室内側端部は戸当側取付材５の室内側面を貫通しており、先端には室内側に露出する操作部７２を設けてある。また、軸部７１の、戸当側取付材５の開口部内に位置する部分に、左側に向けて突出する閉用フック７３を設けてある。さらに、軸部７１の室外側端部は戸当側取付材５の室外側面を貫通しており、先端には右側に向けて突出する開用フック７４を設けてある。軸部７１と、操作部７２、閉用フック７３及び開用フック７４は一体となっており、操作部７２を上下動させることで、閉用フック７３及び開用フック７４も同時に上下動する。なお、閉用フック７３は下向きの鉤状であり、開用フック７４は上向きの鉤状である。そして、サッシ枠１の竪枠１１の右側面の、閉用フック７３に対向する位置には、上向きの鉤状の係合フック７５を取り付けてある。係合フック７５は、金属平板を折り曲げて形成したもので、竪枠１１の右側面にネジ止めしてある。これにより、外障子２ａを閉鎖した状態で操作部７２を下げれば、閉用フック７３が係合フック７５に係合して、戸当側取付材５が竪枠１１に固定される。一方、戸先側取付材４の嵌合部４２の左側面の、開用フック７４に対向する位置には、開用フック７４の先端が挿入される孔を形成してある。これにより、戸当側取付材５が戸先側取付材４に当接した状態で操作部７２を上げれば、開用フック７４が戸先側取付材４の嵌合部４２の孔に係合して、戸当側取付材５が戸先側取付材４に固定される。
【００１４】
次に、このサッシの動作について説明する。通常はロック部品７の操作部７２を下げて、戸当側取付材５をサッシ枠１の竪枠１１に固定した状態にしておく。外障子２ａを閉鎖した状態（図１（ａ）、図３（ａ））においては、網材３が、戸先側取付材４と戸当側取付材５によって形成された収納部５２に折り畳まれて納まっており、外部からは見えないようになっている。そして、外障子２ａを開けると、戸先側竪框２１ａとともに戸先側取付材４が右側へ移動し、網材３が伸張して開口部を塞ぐ（図１（ｂ）、図３（ｂ））。外障子２ａはストッパー６により開口幅が制限されているから、図５に示すように一部のみが開口した状態となり、その部分が網材３により塞がれる。また、外障子２ａを閉じると、戸先側竪框２１ａとともに戸先側取付材４が左側へ移動し、網材３が折り畳まれて収納部５２に納まる。この際、網材３の上端部は上枠１２に形成した内障子２ｂのガイド溝１２１ｂに納まっており、また下端部に形成した切欠部３２を下枠１３に形成した内障子２ｂのガイドレール１３１ｂが挿通しているので、網材３の室内外方向の動きは規制され、網材３は撓むことなくスムーズに伸張し、また折り畳まれる。一方、外障子２ａを閉鎖した状態で、ロック部品７の操作部７２を上げて、戸当側取付材５とサッシ枠１の竪枠１１の係合を解除し、戸当側取付材５を戸先側取付材４に固定した状態にすれば、網材３を使用せずに外障子２ａを開くことができる（図２、図３（ｃ））。この状態においても、網材３は戸先側取付材４と戸当側取付材５によって形成された収納部５２に折り畳まれて納まっており、外部からは見えないようになっている。そして、ストッパー６を押し込んで開口幅の制限を解除すれば、外障子２ａを全開にすることもできる。
【００１５】
このように構成したサッシによれば、外障子２ａの戸先側竪框２１ａに取り付けた戸先側取付材４と、戸先側竪框２１ａに対向する戸当部９ａに隣接して取り付けた戸当側取付材５の間に網材３を取り付けてあるので、外障子２ａを開けると網材３も連動して広がり、外障子２ａを閉めると網材３も連動して折り畳まれるため、操作が容易である。この際、戸先側取付材４は外障子２ａと一体になって動くので、戸先側取付材４が垂直方向から傾くことはなく、開口部が網材３によって確実に塞がれ隙間が生じない。また、ストッパー６により外障子２ａの開口幅が制限されていて網材３の幅が短いので、伸張及び折り畳みの際に網材３が撓むことはなく、撓み防止のワイヤーなどが不要となっており、またこのワイヤーを巻き取る装置なども不要となっている。よって、網材３には何らの付勢力も働いていないので、開いた外障子２ａが閉鎖方向に動くことはなく、開口幅の制限の範囲内の任意の位置で停止できる。そして、巻き取りのための機構などがない簡易な構成であるから、全体がコンパクトで（本実施形態では全体がサッシ枠１の見込幅内に納まっている）、費用が抑えられ、ワイヤーを巻き取る装置などの故障のおそれもない。また、網材３の上端部は上枠１２に形成した内障子２ｂのガイド溝１２１ｂに納まっており、また下端部に形成した切欠部３２を下枠１３に形成した内障子２ｂのガイドレール１３１ｂが挿通しているので、網材３の上下端部が左右方向にガイドされてスムーズに伸張し、また折り畳まれるとともに、網材３の上下端部と上枠１２又は下枠１３との間の隙間が小さくなって、虫が侵入しにくくなっている。さらに、網材３は戸先側取付材４と戸当側取付材５に対して面ファスナーにより着脱自在に取り付けてあるから、取り替えが容易でメンテナンス性がよい。また、網材３を使用した状態で開口幅の制限を解除して外障子２ａを開きすぎた場合には、網材３が容易に戸先側取付材４又は戸当側取付材５から外れるので、網材３を損傷することもない。さらに、戸先側取付材４を外障子２ａの戸先側竪框２１ａに取り付け、戸当側取付材５をサッシ枠１の竪枠１１に取り付けるだけでよいため、既存のサッシへの後付けも容易であり、サッシ枠１の取り替えなども必要ないので、費用が抑えられる。
【００１６】
次に、本発明のサッシの第二実施形態を示す。第一実施形態と異なるのは、網材３を内障子２ｂの室内側に設けてある点であり、サッシ枠１、外障子２ａ及び内障子２ｂや外障子２ａに設けたストッパー６は第一実施形態と同じである。また、戸先側取付材４及び戸当側取付材５も第一実施形態と同じものであるが、第一実施形態とは左右に反転した向きとなる。より詳しくは、図７〜図１０に示すように、内障子２ｂの戸先側竪框２１ｂの室内側面に、戸先側取付材４を取り付けてある。内障子２ｂは、ガラスパネル２５ｂを保持するパネル保持部分が室内側に持ち出しているが、戸先側取付材４はその持出部分の戸先側に位置しており、嵌合部４２が戸先側竪框２１ｂの室内側の手掛部２１１に嵌合していて、手掛部２１１の底面にネジ止めしてある。そして、本体部４１の右側面に網材３の取付面４４がある。
【００１７】
また、戸当側の、戸先側取付材４に対向する位置には、戸当側取付材５を取り付けてある。戸先側取付材４が内障子２ｂの戸先側竪框２１ｂの室内側面に取り付けてあるので、戸当側取付材５の取り付け位置は、戸先側竪框２１ｂに対向するサッシ枠１の竪枠１１の戸当部９ｂの、室内側に隣接する位置、すなわち竪枠１１の室内側に延びるアングル片１１１と、アングル片１１１に連続して設けてある額縁８に跨った位置となる。戸当側取付材５は、左側の開口部の底面が網材３の取付面５１となっており、戸先側取付材４の取付面４４と、戸当側取付材５の取付面５１とが対向していて、両者の間に収納部５２が形成される。また、右側の開口部内には、第一実施形態と同じロック部品７が納められている。
【００１８】
さらに、網材３も第一実施形態と同様のものであり、戸先側取付材４の取付面４４と戸当側取付材５の取付面５１に、それぞれ面ファスナー３１によって着脱自在に取り付けてある。ただし、図１０（ｂ）に示すように、下端部に切欠部は形成されていない。網材３の上下端に対向する面には、それぞれ上枠１２又は下枠１３のアングル片１２２，１３２と額縁８に跨って受板３３を取り付けてあり、網材３の上下端が受板３３にわずかな隙間を開けて対向した状態となっている。
【００１９】
この第二実施形態のサッシも、第一実施形態と同様に動作するものであり、ロック部品７の操作部７２を下げて戸当側取付材５をサッシ枠１の竪枠１１に固定した状態にしておき、内障子２ｂを閉鎖した状態（図７（ａ）、図９（ａ））から内障子２ｂを開けると、戸先側竪框２１ｂとともに戸先側取付材４が左側へ移動し、網材３が伸張して開口部を塞ぐ（図７（ｂ）、図９（ｂ））。また、内障子２ｂを閉じると、戸先側竪框２１ｂとともに戸先側取付材４が右側へ移動し、網材３が折り畳まれて収納部５２に納まる。一方、内障子２ｂを閉鎖した状態で、ロック部品７の操作部７２を上げて戸当側取付材５とサッシ枠１の竪枠１１の係合を解除し、戸当側取付材５を戸先側取付材４に固定した状態にすれば、網材３を使用せずに内障子２ｂを開くことができる（図８、図９（ｃ））。
【００２０】
このように構成した第二実施形態のサッシにおいても、内障子２ｂを開けると網材３も連動して広がり、内障子２ｂを閉めると網材３も連動して折り畳まれるため、操作が容易であり、その他、第一実施形態と同様の作用効果を奏するものである。ただし、網材３の上下端が上下枠のガイド溝又はガイドレールにガイドされていないので、その点を除く。また、サッシ枠１からは室内側に突出しているが、全体はコンパクトである。
【００２１】
次に、本発明のサッシの第三実施形態を示す。第一実施形態と異なるのは、網材３を内障子２ｂの室外側に設けてある点であり、サッシ枠１、外障子２ａ及び内障子２ｂや外障子２ａに設けたストッパー６は第一実施形態と同じである。また、戸先側取付材４及び戸当側取付材５も第一実施形態と同じものであるが、第一実施形態とは室内外及び左右に反転した向きとなる。より詳しくは、図１１〜図１４に示すように、内障子２ｂの戸先側竪框２１ｂの室外側面に、戸先側取付材４を取り付けてあり、嵌合部４２が戸先側竪框２１ｂの室外側の手掛部２１１に嵌合していて、手掛部２１１の底面にネジ止めしてある。そして、本体部４１の右側面に網材３の取付面４４がある。
【００２２】
また、戸当側の、戸先側取付材４に対向する位置には、戸当側取付材５を取り付けてある。戸先側取付材４が内障子２ｂの戸先側竪框２１ｂの室外側面に取り付けてあるので、戸当側取付材５の取り付け位置は、戸先側竪框２１ｂに対向するサッシ枠１の竪枠１１の戸当部９ｂの、室外側に隣接する位置、すなわち竪枠１１の、外障子２ａの戸尻側竪框２２ａに対向する位置となる。戸当側取付材５は、左側の開口部の底面が網材３の取付面５１となっており、戸先側取付材４の取付面４４と、戸当側取付材５の取付面５１とが対向していて、両者の間に収納部５２が形成される。また、右側の開口部内には、第一実施形態と同じロック部品７が納められている。
【００２３】
さらに、網材３も第一実施形態と同様のものであり、戸先側取付材４の取付面４４と戸当側取付材５の取付面５１に、それぞれ面ファスナー３１によって着脱自在に取り付けてある。ただし、図１４（ｂ）に示すように、上端部と下端部の両方に略三角形の切欠部３２を形成してあり、上側の切欠部３２を、サッシ枠１の上枠１２に形成した外障子２ａのガイドレール１２１ａが挿通しており、下側の切欠部３２を、サッシ枠１の下枠１３に形成した外障子２ａのガイドレール１３１ａが挿通している。
【００２４】
この第三実施形態のサッシも、第一実施形態と同様に動作するものであり、ロック部品７の操作部７２を下げて戸当側取付材５をサッシ枠１の竪枠１１に固定した状態にしておき、内障子２ｂを閉鎖した状態（図１１（ａ）、図１３（ａ））から内障子２ｂを開けると、戸先側竪框２１ｂとともに戸先側取付材４が左側へ移動し、網材３が伸張して開口部を塞ぐ（図１１（ｂ）、図１３（ｂ））。また、内障子２ｂを閉じると、戸先側竪框２１ｂとともに戸先側取付材４が右側へ移動し、網材３が折り畳まれて収納部５２に納まる。一方、内障子２ｂを閉鎖した状態で、ロック部品７の操作部７２を上げて戸当側取付材５とサッシ枠１の竪枠１１の係合を解除し、戸当側取付材５を戸先側取付材４に固定した状態にすれば、網材３を使用せずに内障子２ｂを開くことができる（図１２、図１３（ｃ））。
【００２５】
このように構成した第三実施形態のサッシにおいても、内障子２ｂを開けると網材３も連動して広がり、内障子２ｂを閉めると網材３も連動して折り畳まれるため、操作が容易であり、その他、第一実施形態と同様の作用効果を奏するものである。なお、網材３の上端部については、第一実施形態のようにガイド溝１２１ｂにガイドされていても、第三実施形態のようにガイドレール１２１ａにガイドされていても、同様の作用効果を奏する。
【００２６】
次に、本発明のサッシの第四実施形態を示す。第一実施形態と異なるのは、図１５に示すように、網材３を外障子２ａの室内側と内障子２ｂの室内側の両方に設けてある点であり、サッシ枠１、外障子２ａ及び内障子２ｂや外障子２ａに設けたストッパー６は第一実施形態と同じである。そして、外障子２ａの室内側に設けた網材３部分については第一実施形態と同じであり、内障子２ｂの室内側に設けた網材３部分については第二実施形態と同じである。このように構成した第四実施形態のサッシにおいては、第一実施形態及び第二実施形態と同様の作用効果を奏するものであり、また、サッシの両側に開口部を設けることで、より効率のよい換気が可能である。なお、ストッパー６の位置が第一実施形態と同じであるから、左右の外障子２ａと内障子２ｂの開口幅の合計が、第一実施形態の外障子２ａの開口幅と等しくなる。
【００２７】
本発明は、上記の実施形態に限定されない。たとえば、戸先側取付材や戸当側取付材の形状は、これらを取り付ける障子の戸先側竪框やサッシ枠の竪枠の形状に応じて適宜変更できる。また、ロック部品は、戸先側取付材と、竪枠又は戸当側取付材とを固定できるものであれば、どのような構成のものであってもよい。さらに、戸当側取付材を取り付ける部分は、戸先側取付材に対向する位置であれば、竪枠やそのアングル片（竪枠と一体のものと別体のものの両方を含む）又は額縁のどこでもよく、額縁を設けないクロス仕上げなどの場合には建築物の躯体に取り付けてもよい。また、網材の上下端は、ガイド溝又はガイドレールにガイドされることが望ましく、上下の両方がガイド溝にガイドされる場合、両方がガイドレールにガイドされる場合、一方がガイド溝にガイドされ他方がガイドレールにガイドされる場合の何れであってもよい。さらに、第四実施形態のように網材をサッシの左右両側に設ける場合、外障子の室内側と、内障子の室外側に設けることもできる。また、外障子及び内障子の開口幅の制限については、換気・通風時の安全性（転落防止）及び防犯性を考慮すると、１１０ｍｍ程度とすることが望ましい。
【符号の説明】
【００２８】
１  サッシ枠
２ａ  外障子（引戸障子）
２ｂ  内障子（引戸障子）
３  網材
４  戸先側取付材
５  戸当側取付材
９ａ，９ｂ  戸当部
２１ａ，２１ｂ  戸先側竪框
【図１】
2014214465.tif 000003
【図２】
2014214465.tif 000004
【図３】
2014214465.tif 000005
【図４】
2014214465.tif 000006
【図５】
2014214465.tif 000007
【図６】
2014214465.tif 000008
【図７】
2014214465.tif 000009
【図８】
2014214465.tif 000010
【図９】
2014214465.tif 000011
【図１０】
2014214465.tif 000012
【図１１】
2014214465.tif 000013
【図１２】
2014214465.tif 000014
【図１３】
2014214465.tif 000015
【図１４】
2014214465.tif 000016
【図１５】
2014214465.tif 000017